(57)【要約】【課題】収納家具を縦に積み重ねたときに、それら収納家具の収納スペースを有効に利用することができる組立式の収納家具を提供する。【解決手段】戸棚１は、天板２と、底板３と、縦板４（側板Ｋ、背板Ｌ）と、扉５とが、着脱可能に組み付けられて形成される。そして、縦板４は、一の戸棚１の縦板４と、他の戸棚１の縦板４とが、縦に積まれるようにして連結可能に、かつ取外し可能に、形成されている。こうして、二つの戸棚１、１を縦に積み重ねる際に、下側の戸棚１の天板２を外し、そして、上側の戸棚１の底板３を外して、それら戸棚１、１の縦板４、４を、縦に積むようにして連結することができる。【選択図】　図５
2004097404.tif 000002
【特許請求の範囲】
【請求項１】
各構成体が着脱可能に組み付けられて形成される収納家具であって、
前記構成体となる、天板と、底板と、前記収納家具の周壁を形成する縦板とを備え、
前記縦板は、一の前記収納家具の縦板と、他の前記収納家具の縦板とが、縦に積まれるようにして連結可能に、かつ取外し可能に、形成されていることを特徴とする、組立式の収納家具。
【請求項２】
前記縦板の上端部には、その縦板と前記天板とを組み付けるための第１接続具が設けられ、
前記縦板の下端部には、その縦板と前記底板とを組み付けるための第２接続具が設けられ、
前記一の収納家具の縦板と、前記他の収納家具の縦板とを連結するために、前記第１接続具および／または前記第２接続具が用いられることを特徴とする請求項１に記載の、組立式の収納家具。
【請求項３】
前記一の収納家具の縦板と、前記他の収納家具の縦板とを連結するために、前記第１接続具が用いられ、
前記縦板の下端部には、前記第１接続具に接続される第１被接続具を取り付けるための第１取付孔が形成されていることを特徴とする請求項２に記載の、組立式の収納家具。
【請求項４】
前記第１接続具と前記第１被接続具とは、前記第１接続具を回動操作することで、前記第１接続具が前記第１被接続具に掛かるとともにその第１被接続具を引き込むように形成されていることを特徴とする請求項３に記載の、組立式の収納家具。
【請求項５】
前記一の収納家具の縦板と、前記他の収納家具の縦板とを連結するために、前記第２接続具が用いられ、
前記縦板の上端部には、前記第２接続具に接続される第２被接続具を取り付けるための第２取付孔が形成されていることを特徴とする請求項２ないし４のいずれか１項に記載の、組立式の収納家具。
【請求項６】
前記第２接続具と前記第２被接続具とは、前記第２接続具を回動操作することで、前記第２接続具が前記第２被接続具に掛かるとともにその第２被接続具を引き込むように形成されていることを特徴とする請求項５に記載の、組立式の収納家具。
【請求項７】
前記収納家具は、前記縦板となる、側板と背板とを備えることを特徴とする請求項１ないし６のいずれか１項に記載の、組立式の収納家具。
【請求項８】
前記側板の前端面には、上下に延びる金属製の第１のフレームが固定されていることを特徴とする請求項７に記載の、組立式の収納家具。
【請求項９】
前記側板の後端面には、上下に延びる金属製の第２のフレームが固定されており、
前記側板と前記背板とは、前記第２のフレームによって連結されることを特徴とする請求項７または８に記載の、組立式の収納家具。
【発明の詳細な説明】
【０００１】
【発明の属する技術分野】
この発明は、各構成体が着脱可能に組み付けられる、組立式の収納家具に関するものである。
【０００２】
【従来の技術】
従来、収納家具は、その設置スペース等の問題により、例えば二つの収納家具を、縦に積み重ねるようにして配置することがあった。そして、この際、下側の収納家具と上側の収納家具とは、下側の収納家具の天板と上側の収納家具の底板との間で、だぼによって接続されていた。
【０００３】
【発明が解決しようとする課題】
ところで、前記従来の収納家具にあっては、単に、二つの収納家具を縦に積み重ねていたため、下側の収納家具の収納スペースと、上側の収納家具の収納スペースとは、それら収納家具の天板と底板によって分断されていた。このため、両者の収納スペースを、全体として有効に利用することができなかった。
【０００４】
この発明は、上記した従来の欠点を解決するためになされたものであり、その目的とするところは、収納家具を縦に積み重ねたときに、それら収納家具の収納スペースを有効に利用することができる、組立式の収納家具を提供することにある。
【０００５】
【課題を解決するための手段】
この発明に係る組立式の収納家具は、前記目的を達成するために、次の構成からなる。すなわち、
請求項１に記載の発明に係る組立式の収納家具は、各構成体が着脱可能に組み付けられて形成される収納家具であって、前記構成体となる、天板と、底板と、前記収納家具の周壁を形成する縦板とを備える。そして、前記縦板は、一の前記収納家具の縦板と、他の前記収納家具の縦板とが、縦に積まれるようにして連結可能に、かつ取外し可能に、形成されている。これにより、例えば二つの収納家具を縦に積み重ねる際に、下側の収納家具の天板を外し、そして、上側の収納家具の底板を外して、それら収納家具の縦板を、縦に積むようにして連結することができる。こうして積み重ねられた収納家具は、それらの間に、天板や底板がなく、それぞれの収納家具の収納スペースが一体化されて、一つの収納家具として機能する。なお、下側の収納家具の天板、あるいは上側の収納家具の底板は、始めから外されていてもよい。
【０００６】
また、請求項２に記載の発明に係る組立式の収納家具のように、請求項１に記載の収納家具において、前記縦板の上端部には、その縦板と前記天板とを組み付けるための第１接続具が設けられ、前記縦板の下端部には、その縦板と前記底板とを組み付けるための第２接続具が設けられ、前記一の収納家具の縦板と、前記他の収納家具の縦板とを連結するために、前記第１接続具および／または前記第２接続具が用いられてもよい。こうして、この収納家具は、縦板と天板とを組み付けるために第１接続具が設けられ、そして、縦板と底板とを組み付けるために第２接続具が設けられている。そして、この第１接続具および／または第２接続具が、一の収納家具と他の収納家具との縦板を連結するために利用される。
【０００７】
また、請求項３に記載の発明に係る組立式の収納家具のように、請求項２に記載の収納家具において、前記一の収納家具の縦板と、前記他の収納家具の縦板とを連結するために、前記第１接続具が用いられ、前記縦板の下端部には、前記第１接続具に接続される第１被接続具を取り付けるための第１取付孔が形成されてもよい。こうして、下側となる縦板の上端部に設けられた第１接続具に、上側となる縦板の下端部に形成された第１取付孔に取り付けられる第１被接続具が接続されることで、これら縦板が連結される。
【０００８】
また、請求項４に記載の発明に係る組立式の収納家具のように、請求項３に記載の収納家具において、前記第１接続具と前記第１被接続具とは、前記第１接続具を回動操作することで、前記第１接続具が前記第１被接続具に掛かるとともにその第１被接続具を引き込むように形成されてもよい。こうして、第１接続具を回動操作することで、第１接続具が第１被接続具を引き込み、両方の縦板がぴったりと連結される。
【０００９】
また、請求項５に記載の発明に係る組立式の収納家具のように、請求項２ないし４のいずれか１項に記載の収納家具において、前記一の収納家具の縦板と、前記他の収納家具の縦板とを連結するために、前記第２接続具が用いられ、前記縦板の上端部には、前記第２接続具に接続される第２被接続具を取り付けるための第２取付孔が形成されてもよい。こうして、上側となる縦板の下端部に設けられた第２接続具に、下側となる縦板の上端部に形成された第２取付孔に取り付けられる第２被接続具が接続されることで、これら縦板が連結される。
【００１０】
また、請求項６に記載の発明に係る組立式の収納家具のように、請求項５に記載の収納家具において、前記第２接続具と前記第２被接続具とは、前記第２接続具を回動操作することで、前記第２接続具が前記第２被接続具に掛かるとともにその第２被接続具を引き込むように形成されてもよい。こうして、第２接続具を回動操作することで、第２接続具が第２被接続具を引き込み、両方の縦板がぴったりと連結される。
【００１１】
また、請求項７に記載の発明に係る組立式の収納家具のように、請求項１ないし６のいずれか１項に記載の収納家具において、前記収納家具は、前記縦板となる、側板と背板とを備えていてもよい。これにより、二つの収納家具を縦に積み重ねる際には、下側の収納家具の天板を外し、そして、上側の収納家具の底板を外した後に、それら収納家具の縦に積まれた側板および背板がそれぞれ連結される。もっとも、下側の収納家具の天板、あるいは上側の収納家具の底板は、始めから外されていてもよい。
【００１２】
また、請求項８に記載の発明に係る組立式の収納家具のように、請求項７に記載の収納家具において、前記側板の前端面には、上下に延びる金属製の第１のフレームが固定されてもよい。こうして、側板が、第１のフレームによって補強される。
【００１３】
また、請求項９に記載の発明に係る組立式の収納家具のように、請求項７または８に記載の収納家具において、前記側板の後端面には、上下に延びる金属製の第２のフレームが固定されており、前記側板と前記背板とは、前記第２のフレームによって連結されてもよい。こうして、側板および背板が、第２のフレームによって補強される。
【００１４】
【発明の実施の形態】
以下、この発明に係る組立式の収納家具の実施の形態を図面に基づいて説明する。
【００１５】
図１ないし図８は、本発明に係る組立式の収納家具を戸棚に適用した第一の実施の形態を示す。図中符号１は、組立式の収納家具としての戸棚であって、各構成体が着脱可能に組み付けられて形成される。この戸棚１は、前記構成体となる、天板２と、底板３と、戸棚１の周壁を形成する縦板４とを備えている。また、この戸棚１は、前面側に、前記構成体となる扉５、５を備えている。
【００１６】
また、この戸棚１は、前記縦板４となる、側板Ｋ、Ｋと背板Ｌとを備えている。そして、縦板４（側板Ｋ、背板Ｌ）の上端部には、縦板４（側板Ｋ、背板Ｌ）と天板２とを組み付けるための第１接続具６が設けられている。また、縦板４（側板Ｋ、背板Ｌ）の下端部には、その縦板４（側板Ｋ、背板Ｌ）と底板３とを組み付けるための第２接続具７が設けられている。
【００１７】
詳細には、第１接続具６および第２接続具７は、固着具Ｘからなる。そして、天板２および底板３には、それら第１接続具６（固着具Ｘ）および第２接続具７（固着具Ｘ）に接続される、被接続具８、９となる固着具Ｙが設けられている。
【００１８】
ここで、固着具Ｘは、図４に示すように、略円柱状に形成されており、その一端面には、この固着具Ｘを回動するために、回動工具としてのドライバーの先端と係合する係合孔Ｘ１（図６参照）が明けられている。そして、固着具Ｘには、固着具Ｙの後述する頭部Ｙ２および首部Ｙ３を受け入れる凹部Ｘ２が形成されている。そして、凹部Ｘ２には、固着具Ｘの回動軸心から偏心位置する円弧状のカム面Ｘ３と、そのカム面Ｘ３に沿って、凹部Ｘ２から周面に抜ける溝Ｘ４（図４（イ）において、凹部Ｘ２から下方および左方に抜けるように貫通形成された溝Ｘ４）が形成されている。一方、固着具Ｙは、棒状に形成されており、本体部Ｙ１と、先端部分に位置して前記カム面Ｘ３に係合する頭部Ｙ２と、本体部Ｙ１と頭部Ｙ２とを繋いでその頭部Ｙ２よりも径小となって前記溝Ｘ４に嵌まる首部Ｙ３と、本体部Ｙ１を挟んで首部Ｙ３とは反対側に位置する被固定部としての雄ネジ部Ｙ４とからなる。このように、固着具Ｘおよび固着具Ｙは形成されており、固着具Ｘの凹部Ｘ２に固着具Ｙの頭部Ｙ２および首部Ｙ３が挿入された後に（図４における（イ）参照）、固着具Ｘをドライバーによって、例えば時計回り方向Ｐに回動操作することで、固着具Ｘの溝Ｘ４に固着具Ｙの首部Ｙ３が嵌まる。それと同時に、固着具Ｘのカム面Ｘ３が固着具Ｙの頭部Ｙ２に掛かり、その固着具Ｙを固着具Ｘ側に順次引き込む（図４における（ロ）参照）。こうして、固着具Ｘに固着具Ｙが接続される。
【００１９】
そして、同じく図４に示すように、縦板４は、その上端部内面４ａに円形の横孔４ｂが明けられ、上端面４ｃには、その横孔４ｂに通ずる縦孔４ｄが明けられている。そして、前記横孔４ｂに、第１接続具６となる固着具Ｘが、係合孔Ｘ１が表に臨むようにして挿入されている。一方、天板２の下面２ａには、取付孔２ｂが明けられている。そして、被接続具８となる固着具Ｙは、その雄ネジ部Ｙ４が前記取付孔２ｂに螺合するようにして固定されている。そして、縦板４と天板２とを組み付ける際には、被接続具８となる固着具Ｙを、縦孔４ｄに挿入して、頭部Ｙ２および首部Ｙ３を、第１接続具６となる固着具Ｘの凹部Ｘ２に入れる。そこで、前述のように、第１接続具６となる固着具Ｘを回動操作することで、第１接続具６に被接続具８が接続されて、縦板４と天板２とが連結される。
【００２０】
同様にして、縦板４は、その下端部内面４ｅに円形の横孔４ｆが明けられ、下端面４ｇには、その横孔４ｆに通ずる縦孔４ｈが明けられている。そして、前記横孔４ｆに、第２接続具７となる固着具Ｘが、係合孔Ｘ１が表に臨むようにして挿入されている。一方、底板３の上面３ａには、取付孔３ｂが明けられている。そして、被接続具９となる固着具Ｙは、その雄ネジ部Ｙ４が前記取付孔３ｂに螺合するようにして固定されている。そして、縦板４と底板３とを組み付ける際には、被接続具９となる固着具Ｙを、縦孔４ｈに挿入して、頭部Ｙ２および首部Ｙ３を、第２接続具７となる固着具Ｘの凹部Ｘ２に入れる。そこで、前述のように、第２接続具７となる固着具Ｘを回動操作することで、第２接続具７に被接続具９が接続されて、縦板４と底板３とが連結される。なお、縦板４となる側板Ｋと背板Ｌとの連結においても、同様にして、固着具Ｘと固着具Ｙとが用いられる。そして、図示実施の形態においては、縦板４（側板Ｋ、背板Ｌ）と天板２あるいは底板３とを連結したり、側板Ｋと背板Ｌとを連結するための固着具Ｘは、戸棚１の内側に臨むように配設され外側に表われないため、この戸棚１の美観を損なうことがない。もちろん、固着具Ｘが外側に表われるようにしても構わない。
【００２１】
また、戸棚１の内部には、その内部を仕切る棚板１０、１０が設けられている。そして、この棚板１０は、側板Ｋ、Ｋに取り付けられた支持具１１、１１によって下方から支持される。この支持具１１は、円柱状に形成されており、側板Ｋの内面に形成された上下方向に並ぶ多数の孔Ｋ１、Ｋ１に選択的に嵌められる。こうして、棚板１０は、戸棚内の所要の高さに取り付けられる。図示実施の形態は、棚板１０、１０が基本的な高さ位置にある戸棚１を示しており、基準となるモジュールＭ（例えば、３６０ｍｍ）の間隔で取り付けられている。そして、縦板４の高さは、モジュールＭの倍数で構成されており、図１〜３は、縦板４の高さがモジュールＭの３倍となる戸棚１を示しており、また、図８は、縦板４の高さがモジュールＭの５倍となる戸棚１を示している。なお、符号１２は、扉５を回動可能に支持するヒンジである。
【００２２】
ところで、前記縦板４は、一の戸棚１の縦板４と、他の戸棚１の縦板４とが、縦に積まれるようにして連結可能に、かつ取外し可能に、形成されている。そして、一の戸棚１の縦板４と、他の戸棚１の縦板４とを連結するために、前述の第１接続具６および第２接続具７が用いられる。詳細には、図６に示すように、縦板４の下端部には、第１接続具６に接続される第１被接続具１３を取り付けるための第１取付孔４ｉが形成されている。そして縦板４の上端部には、第２接続具７に接続される第２被接続具１４を取り付けるための第２取付孔４ｊが形成されている。なお、図６から理解できるように、第１取付孔４ｉや第２取付孔４ｊ（言い換えれば、第１被接続具１３や第２被接続具１４）を設けるために、第１接続具６と第２接続具７とは、縦板４の横方向において、ずれた位置に設けられている。
【００２３】
具体的には、同じく図６に示すように、第１被接続具１３および第２被接続具１４は、前述の固着具Ｙからなる。そして、第１取付孔４ｉは、縦板４の下端面４ｇに明けられており、第１被接続具１３となる固着具Ｙは、その雄ネジ部Ｙ４が第１取付孔４ｉに螺合するようにして固定される。同様に、第２取付孔４ｊは、縦板４の上端面４ｃに明けられており、第２被接続具１４となる固着具Ｙは、その雄ネジ部Ｙ４が第２取付孔４ｊに螺合するようにして固定される。そして、前述のように、第１接続具６（固着具Ｘ）と第１被接続具１３（固着具Ｙ）とは、第１接続具６を回動操作することで、その第１接続具６（詳細には、カム面Ｘ３）が第１被接続具１３（詳細には、頭部Ｙ２）に掛かるとともにその第１被接続具１３を引き込むように形成されている。同様にして、第２接続具７（固着具Ｘ）と第２被接続具１４（固着具Ｙ）とは、第２接続具７を回動操作することで、その第２接続具７（詳細には、カム面Ｘ３）が第２被接続具１４（詳細には、頭部Ｙ２）に掛かるとともにその第２被接続具１４を引き込むように形成されている。また、図示実施の形態（図６〜図８）は、側板Ｋ、Ｋの連結構造を示しており、背板Ｌ、Ｌの連結構造については、図示が省略されているが、この背板Ｌ、Ｌの連結構造もまた、側板Ｋ、Ｋの連結構造と同様である。
【００２４】
次に、第一の実施の形態に示す戸棚１の作用効果について説明する。この戸棚１によると、例えば二つの戸棚１、１を縦に積み重ねる際に、下側の戸棚１の天板２を外し、そして、上側の戸棚１の底板３を外して、それら戸棚１、１の縦板４、４を（詳細には、側板Ｋ、Ｋおよび背板Ｌ、Ｌをそれぞれ）、縦に積むようにして連結することができる（図５ないし図７参照）。こうして積み重ねられた戸棚１、１は、それらの間に、天板２や底板３がなく、それぞれの戸棚１、１の収納スペースが一体化されて、一つの戸棚として機能する。そして、このように、一つの戸棚として機能するので、それら戸棚１、１の収納スペースを有効に利用することができる。また、積み重ねられた戸棚１、１は、それらの間に天板２や底板３がないことから、これら天板２および底板３を外すことなく積み重ねた場合に比して、その高さを抑えることができる。そして、図示実施の形態においては、縦板４の高さが、基準となるモジュールＭ（例えば、３６０ｍｍ）の倍数で構成されているため、縦板４の高さがモジュールＭのｉ倍（例えば３倍）となる戸棚１と、縦板４の高さがモジュールＭのｊ倍（例えば２倍）となる戸棚１を前述のように積み重ねると、その高さは、縦板４の高さがモジュールＭのｉ＋ｊ倍（例えば５倍）となる戸棚１とその高さが同一となる（図７、図８参照）。なお、下側の戸棚１の天板２、あるいは上側の戸棚１の底板３は、始めから外されていてもよい。すなわち、一の戸棚１を使用していたが、収納スペースを増やしたい場合等に、例えば、一の戸棚１の天板２を外して、下側の戸棚１とし、別途底板３のない戸棚１を購入して、上側の戸棚１としてもよい。もちろん、これとは反対に、使用していた一の戸棚１の底板３を外して、上側の戸棚１として、別途天板２のない戸棚１を購入して、下側の戸棚１としてもよい。
【００２５】
ここにおいて、この戸棚１は、縦板４と天板２とを組み付けるために第１接続具６（固着具Ｘ）が設けられ、そして、縦板４と底板３とを組み付けるために第２接続具７（固着具Ｘ）が設けられている。そして、これら第１接続具６および第２接続具７が、一の戸棚１と他の戸棚１との縦板４、４を連結するために、すなわち、戸棚１、１を積み重ねる際に利用されている。詳細には、下側となる縦板４の上端部に設けられた第１接続具６（固着具Ｘ）に、上側となる縦板４の下端部に形成された第１取付孔４ｉに取り付けられる第１被接続具１３（固着具Ｙ）が接続され、さらに、上側となる縦板４の下端部に設けられた第２接続具７（固着具Ｘ）に、下側となる縦板４の上端部に形成された第２取付孔４ｊに取り付けられる第２被接続具１４（固着具Ｙ）が接続されることで、これら縦板４、４が連結されることとなる。また、このとき、第１接続具６を回動操作することで、その第１接続具６が第１被接続具１３を引き込み、そして、第２接続具７を回動操作することで、その第２接続具７が第２被接続具１４を引き込み、こうして、両方の縦板４、４をぴったりと連結することができる。
【００２６】
また、両方の縦板４、４の境界部分にある棚板１０を、いずれか一方の縦板４、あるいは両方の縦板４、４に固定するように取り付ければ、積み重ねられた戸棚１、１の強度を上げることができる。なお、棚板１０と縦板４との連結には、前述の固着具Ｘおよび固着具Ｙによる接続構造と類似の構造を用いることができる。
【００２７】
図９ないし図１２は、本発明に係る組立式の収納家具を戸棚に適用した第二の実施の形態を示す。この実施の形態に示す戸棚２１は、第１の実施の形態に示す戸棚１と比較すると、第１のフレーム２２および第２のフレーム２３が追加されているが、他は同様であり、以下に、異なる部分を主に説明する。
【００２８】
この戸棚２１は、側板Ｋの前端面Ｋ２に、上下に延びる金属製（例えば、アルミニウム合金製）の第１のフレーム２２が固定されている。この第１のフレーム２２は、型材となるフレーム材Ｆからなり、断面略正方形枠状に形成されている。そして、第１のフレーム２２には、その一の面Ｆ１に、長手方向に延びる突出片Ｆ２が設けられ、そして、この突出片Ｆ２の側面には、楔状の凸部Ｆ３が複数形成されている。こうして、突出片Ｆ２が、側板Ｋの前端面Ｋ２に設けられた第１の溝Ｋ３に差し込まれると、前記凸部Ｆ３によって、第１のフレーム２２は、側板Ｋに確実に固定される。また、第１のフレーム２２には、前記一の面Ｆ１の隣に位置する他の面Ｆ４に、長手方向に延びる係合溝Ｆ５が設けられている。さらに、第１のフレーム２２には、その内部に、中心部Ｆ６と連結片Ｆ７、Ｆ７とが設けられている。中心部Ｆ６は、円形形状の一側が開放した形状が長手方向に延びて形成されている。また、連結片Ｆ７、Ｆ７は、中心部Ｆ６と、その中心部Ｆ６と他の面Ｆ４の係合溝Ｆ５を挟むコーナー部とを繋ぐようにして、長手方向に延びて形成されている。
【００２９】
また、側板Ｋの後端面Ｋ４には、上下に延びる金属製（例えば、アルミニウム合金製）の第２のフレーム２３が固定されており、この第２のフレーム２３によって、側板Ｋと背板Ｌとが連結される。ここで、第２のフレーム２３は、第１のフレーム２２と同一のフレーム材Ｆからなり、突出片Ｆ２や係合溝Ｆ５等が設けられている。そして、この第２のフレーム２３は、その突出片Ｆ２が、側板Ｋの後端面Ｋ４に設けられた第２の溝Ｋ５に差し込まれて、側板Ｋに確実に固定される。そして、背板Ｌの側端面Ｌ１には、上下方向に延びる凸条Ｌ２が設けられており、この凸条Ｌ２が、第２のフレーム２３の係合溝Ｆ５に係合することで、背板Ｌが第２のフレーム２３に取り付けられ、こうして、側板Ｋと背板Ｌとが連結される。
【００３０】
この第二の実施の形態に示す戸棚２１の作用効果は、第一の実施の形態に示す戸棚１の作用効果に加えて、次の作用効果を奏する。すなわち、側板Ｋの前端面Ｋ２に金属製の第１のフレーム２２が固定されることで、側板Ｋが補強されて、この側板Ｋの反りを防ぐことができる。さらに、側板Ｋの後端面Ｋ４に金属製の第２のフレーム２３が固定され、かつ、側板Ｋと背板Ｌとが第２のフレーム２３によって連結されることで、側板Ｋおよび背板Ｌが補強されて、この側板Ｋおよび背板Ｌの反りを防ぐことができる。
【００３１】
なお、本発明は、上述した実施の形態に限定されるわけではなく、その他種々の変更が可能である。例えば、縦に積まれた縦板４、４を連結するために、第１接続具６および第２接続具７が用いられるが、第１接続具６と第２接続具７とのいずれか一方のみを用いてもよい。すなわち、第１被接続具１３と第２被接続具１４とのいずれか一方は無くともよい。
【００３２】
また、縦板４側の第１接続具６および第２接続具７は、固着具Ｘからなり、天板２および底板３側の被接続具８、９は、固着具Ｙからなるが、例えば、第１接続具６を固着具Ｘ、第２接続具７を固着具Ｙ、天板２側の被接続具８を固着具Ｙ、底板３側の被接続具９を固着具Ｘとするとともに、縦に積まれた縦板４、４を連結するにあたって、第１接続具６（固着具Ｘ）と第２接続具７（固着具Ｙ）とを接続するようにしてもよい。もっとも、反対に、第１接続具６を固着具Ｙ、第２接続具７を固着具Ｘ、天板２側の被接続具８を固着具Ｘ、底板３側の被接続具９を固着具Ｙとしても、縦に積まれた縦板４、４を連結するにあたって、第１接続具６（固着具Ｙ）と第２接続具７（固着具Ｘ）とを接続することができる。このように、縦に積まれた縦板４、４を連結するのに、第１接続具６と第２接続具７とを接続するようにすれば、第１被接続具１３および第２被接続具１４は不要となる。
【００３３】
また、第１および第２被接続具１３、１４は、縦板４に形成された第１および第２取付孔４ｉ、４ｊに取り付けられるが、この取付孔４ｉ、４ｊは、縦板４に直接形成されていてもよく、また、例えば、縦板４に埋め込まれたナットのネジ孔であってもよい。そして、このように縦板４にナットが埋め込まれる場合には、そのナットは、予め埋め込まれていてもよく、また、縦板４、４を連結する際に埋め込まれてもよい。
【００３４】
また、収納家具としての戸棚１は、書類戸棚、書棚、食器戸棚、サイドボード、下駄箱等、どのような戸棚であってもよい。さらには、収納家具は、戸棚でなくとも、箪笥等であってもよい。
【００３５】
また、第二の実施の形態において、第２のフレーム２３の、他の面Ｆ４とは反対側の面にも、係合溝Ｆ５と同様の係合溝を設けてもよい。こうすることで、第２のフレーム２３の左右に背板Ｌを取り付けるようにして、戸棚２１、２１を左右方向に連結することが可能となる。もっとも、この場合には、戸棚２１、２１の一方の戸棚２１の、第１および第２のフレーム２２、２３と側板Ｋを取り除き、そして、天板２および底板３の形状を変更する必要がある。
【００３６】
【発明の効果】
以上、詳述したところから明らかなように、この発明に係る組立式の収納家具によれば、次の効果がある。
【００３７】
請求項１に記載された組立式の収納家具によれば、収納家具を縦に積み重ねたときに、それぞれの収納家具の収納スペースが一体化されて、一つの収納家具として機能するので、それら収納家具の収納スペースを有効に利用することができる。
【００３８】
また、請求項２に記載された組立式の収納家具によれば、請求項１の効果に加えて、縦板と天板とを組み付けるための第１接続具や、縦板と底板とを組み付けるための第２接続具を、収納家具を積み重ねる際に利用することができる。
【００３９】
また、請求項３に記載された組立式の収納家具によれば、請求項２の効果に加えて、下側となる縦板の上端部に設けられた第１接続具に、上側となる縦板の下端部に形成された第１取付孔に取り付けられる第１被接続具が接続されることで、これら縦板を連結することができる。
【００４０】
また、請求項４に記載された組立式の収納家具によれば、請求項３の効果に加えて、第１接続具を回動操作することで、第１接続具が第１被接続具を引き込むので、両方の縦板をぴったりと連結することができる。
【００４１】
また、請求項５に記載された組立式の収納家具によれば、請求項２ないし４のいずれか１項の効果に加えて、上側となる縦板の下端部に設けられた第２接続具に、下側となる縦板の上端部に形成された第２取付孔に取り付けられる第２被接続具が接続されることで、これら縦板を連結することができる。
【００４２】
また、請求項６に記載された組立式の収納家具によれば、請求項５の効果に加えて、第２接続具を回動操作することで、第２接続具が第２被接続具を引き込むので、両方の縦板をぴったりと連結することができる。
【００４３】
また、請求項７に記載された組立式の収納家具によれば、請求項１ないし６のいずれか１項の効果に加えて、収納家具を縦に積み重ねたときに、それら収納家具の縦に積まれた側板および背板をそれぞれ連結することができる。
【００４４】
また、請求項８に記載された組立式の収納家具によれば、請求項７の効果に加えて、側板が、第１のフレームによって補強され、この側板の反りを防ぐことができる。
【００４５】
また、請求項９に記載された組立式の収納家具によれば、請求項７または８の効果に加えて、側板および背板が、第２のフレームによって補強され、この側板および背板の反りを防ぐことができる。
【図面の簡単な説明】
【図１】この発明に係る組立式の収納家具の第一の実施の形態の、斜視図である。
【図２】同じく、分解斜視図である。
【図３】同じく、縦断面図である。
【図４】同じく、縦板と天板あるいは底板との連結構造を示す拡大断面図である。
【図５】同じく、戸棚を積み重ねる方法を説明するための断面図である。
【図６】同じく、図５におけるＡ部拡大図である。
【図７】同じく、戸棚を積み重ねた状態を示す断面図である。
【図８】同じく、図７と同一高さの戸棚を示す断面図である。
【図９】この発明に係る組立式の収納家具の第二の実施の形態の、斜視図である。
【図１０】同じく、横断面図である。
【図１１】同じく、図１０におけるＢ部拡大断面図である。
【図１２】同じく、図１０におけるＣ部拡大断面図である。
【符号の説明】
１　戸棚（収納家具）　　　　　　　２　天板
３　底板　　　　　　　　　　　　　４　縦板
４ｉ　第１取付孔　　　　　　　　　４ｊ　第２取付孔
６　第１接続具　　　　　　　　　　７　第２接続具
１３　第１被接続具　　　　　　　　１４　第２被接続具
２１　戸棚（収納家具）　　　　　　２２　第１のフレーム
２３　第２のフレーム
Ｋ　側板　　　　　　　　　　　　　Ｋ２　前端面
Ｋ４　後端面　　　　　　　　　　　Ｌ　背板
【図１】
2004097404.tif 000003
【図２】
2004097404.tif 000004
【図３】
2004097404.tif 000005
【図４】
2004097404.tif 000006
【図５】
2004097404.tif 000007
【図６】
2004097404.tif 000008
【図７】
2004097404.tif 000009
【図８】
2004097404.tif 000010
【図９】
2004097404.tif 000011
【図１０】
2004097404.tif 000012
【図１１】
2004097404.tif 000013
【図１２】
2004097404.tif 000014